(57)【要約】【課題】  ＥＳＩイオン化、ＡＰＣＩイオン化、ＥＳＩ／ＡＰＣＩ同時イオン化のいずれもが可能であり、試料液体の流速が大きくても加熱不足が問題にならないイオン源を提供する。【解決手段】  二重管構造を有し試料液体をネブライズガスによって噴霧口から噴霧させる導電性の噴霧ノズル５１と、噴霧口Ｊの前方空間Ｋを筒状に囲む筒状ヒータ５５と、噴霧口の前方空間を筒状に囲み、噴霧ノズルとの間にＥＳＩ用の電位差を形成する筒状電極５６と、噴霧ノズルと筒状電極との間に電圧を印加する第一電源６１と、筒状電極の前方に配置されるＡＰＣＩ用のためのコロナ放電針５７と、コロナ放電針に電圧を印加する第二電源６２とを備える。【選択図】  図２
0003166867.tif 000002
【実用新案登録請求の範囲】
【請求項１】
液体クロマトグラフ部から送られる液体試料をイオン化して質量分析部に送る液体クロマトグラフ質量分析装置用のイオン源であって、
試料液体が供給される内管とネブライズガスが供給される外管との二重管構造を有し、前記試料液体を前記ネブライズガスによって噴霧口から噴霧させる導電性の噴霧ノズルと、
前記噴霧口の前方空間を筒状に囲み、前記噴霧口から噴霧された試料液滴を加熱しながら通過させる筒状ヒータと、
前記噴霧口の前方空間を筒状に囲み、前記噴霧ノズルから離隔するように設けられ、ＥＳＩによるイオン化のときに前記噴霧ノズルとの間に電位差を形成する筒状電極と、
前記噴霧ノズルと前記筒状電極との間にＥＳＩによるイオン化のための電圧を印加する第一電源と、
前記筒状電極の前方に配置され、ＡＰＣＩによるイオン化のときにコロナ放電用の電圧が印加されるコロナ放電針と、
前記コロナ放電針にＡＰＣＩによるイオン化のための電圧を印加する第二電源と、を備えたことを特徴とするイオン源。
【請求項２】
液体クロマトグラフ部から送られる液体試料をイオン化して質量分析部に送る液体クロマトグラフ質量分析装置用のイオン源であって、
試料液体が供給される内管とネブライズガスが供給される外管との二重管構造を有し、前記試料液体を前記ネブライズガスによって噴霧口から噴霧させる導電性の噴霧ノズルと、
前記噴霧口および当該噴霧口の前方空間を筒状に囲むように取り付けられるセラミック管と、
前記噴霧口の前方空間を筒状に囲むように前記セラミック管の外周面に取り付けられ、噴霧された試料液滴を加熱しながら通過させる筒状ヒータと、
前記セラミック管内で前記噴霧口の前方空間を筒状に囲み、前記噴霧ノズルから離隔するように設けられ、ＥＳＩによるイオン化のときに前記噴霧ノズルとの間に電位差を形成する筒状電極と、
前記噴霧ノズルと前記筒状電極との間にＥＳＩによるイオン化のための電圧を印加する第一電源と、
前記筒状電極の前方に配置され、ＡＰＣＩによるイオン化のときにコロナ放電用の電圧が印加されるコロナ放電針と、
前記コロナ放電針にＡＰＣＩによるイオン化のための電圧を印加する第二電源と、を備えたことを特徴とするイオン源。
【請求項３】
液体クロマトグラフ部から送られる液体試料をイオン化して質量分析部に送る液体クロマトグラフ質量分析装置用のイオン源であって、
試料液体が供給される内管とネブライズガスが供給される外管との二重管構造を有し、前記試料液体を前記ネブライズガスによって噴霧口から噴霧させる導電性の噴霧ノズルと、
前記噴霧ノズルの噴霧口を筒状に囲むように取り付けられるセラミック管と、
前記セラミック管に支持され、前記噴霧ノズルの噴霧口の前方空間を筒状に囲むように取り付けられ、噴霧された試料液滴を加熱しながら通過させる筒状ヒータと、
前記筒状ヒータの内側で前記前方空間を筒状に囲み、前記噴霧ノズルから離隔するように設けられ、ＥＳＩによるイオン化のときに前記噴霧ノズルとの間に電位差を形成する筒状電極と、
前記噴霧ノズルと前記筒状電極との間にＥＳＩによるイオン化のための電圧を印加する第一電源と、
前記筒状電極の前方に配置され、ＡＰＣＩによるイオン化のときにコロナ放電用の電圧が印加されるコロナ放電針と、
前記コロナ放電針にＡＰＣＩによるイオン化のための電圧を印加する第二電源と、を備えたことを特徴とするイオン源。
【請求項４】
液体クロマトグラフ部から送られる液体試料をイオン化して質量分析部に送る液体クロマトグラフ質量分析装置用のイオン源であって、
試料液体が供給される内管とネブライズガスが供給される外管との二重管構造を有し、前記試料液体を前記ネブライズガスによって噴霧口から噴霧させる導電性の噴霧ノズルと、
前記噴霧口および当該噴霧口の前方空間を筒状に囲むように取り付けられ、前記噴霧ノズルから離隔するように設けられ、接地電位にされてＥＳＩによるイオン化のときに筒状電極として用いられる導体管と、
前記噴霧口の前方空間を筒状に囲むように前記導体管の外周面に取り付けられ、噴霧された試料液滴を加熱しながら通過させる筒状ヒータと、
前記噴霧ノズルにＥＳＩによるイオン化のための電圧を印加する第一電源と、
前記筒状電極の前方に配置され、ＡＰＣＩによるイオン化のときにコロナ放電用の電圧が印加されるコロナ放電針と、
前記コロナ放電針にＡＰＣＩによるイオン化のための電圧を印加する第二電源と、を備えたことを特徴とするイオン源。
【請求項５】
前記第一電源は前記噴霧ノズルに電圧を印加するとともに、前記筒状電極を接地電位にする請求項１〜請求項３のいずれかに記載のイオン源。
【請求項６】
前記噴霧ノズルと前記筒状電極との離隔距離が２ｍｍ〜３０ｍｍである請求項１〜請求項５のいずれかに記載のイオン源。
【請求項７】
前記噴霧ノズル外管の内径よりも前記筒状電極の内径が大きい請求項１〜請求項６のいずれかに記載のイオン源。
【考案の詳細な説明】
【技術分野】
【０００１】
本考案は、液体クロマトグラフ装置によって分離・溶出された分析対象分子をイオン化して質量分析を行う液体クロマトグラフ質量分析装置のイオン源に関し、さらに詳細には、大気圧化学イオン化法（ＡＰＣＩ）およびエレクトロスプレーイオン化法（ＥＳＩ）によりイオン化を行うイオン源に関する。
【背景技術】
【０００２】
液体クロマトグラフ質量分析装置（ＬＣ／ＭＳともいう）は、液体試料を成分毎に分離して溶出する液体クロマトグラフ装置（ＬＣ部ともいう）と、ＬＣ部から溶出される試料成分をイオン化するイオン化室と、イオン化室から送られるイオンを検出する質量分析装置（ＭＳ部ともいう）とから構成される。
【０００３】
ＬＣ／ＭＳのイオン源には、大気圧イオン化法が用いられているものがある。
図８は、大気圧イオン化法の一つであるＥＳＩを用いたＬＣ／ＭＳの一例を示す概略構成図である。このＬＣ／ＭＳ１０１では、ＬＣ部からの液体試料を大気圧下でイオン化を行うイオン化室１１と、イオン化室１１に隣接する第一中間室１２と、第一中間室１２に隣接する第二中間室１３と、第二中間室１３に隣接する質量分析装置（ＭＳ部）１４とがそれぞれ隔壁を介して並ぶように設けられている。
【０００４】
イオン化室１１には噴霧ノズル１５１（プローブ）を有するイオン源１５が取り付けてある。噴霧ノズル１５１は、ＬＣ部で成分分離された液体試料が流路１５５を介して供給されるとともに、ネブライズガス（例えば乾燥窒素ガス）が流路１５６を介して供給され、液体試料がネブライズガスと混合されて霧状になって噴霧されるようにしてある。
図９は噴霧ノズル１５１の先端部分の拡大断面図である。噴霧ノズル１５１は、金属製の二重管構造になっており、流路１５５からの液体試料は内管１５２から噴出される。流路１５６のネブライズガスは外管１５３から噴射される。内管１５２の先端は外管１５３の先端よりも２ｍｍ程度だけ突出するようにしてあり、内管１５２から噴出された液体試料は、周囲に噴射されるネブライズガスとの衝突作用により霧状態となって噴霧される。
【０００５】
また、噴霧ノズル１５１は、高電圧印加用の電源１６１に接続してあり、数ＫＶの高電圧が噴霧ノズル１５１の先端に印加されるようにしてある。高電圧が印加された状態で液体試料が噴霧されることで、イオン化された微小液滴が発生するようにしてある。
【０００６】
イオン化室１１と第一中間室１２とを仕切る隔壁には、温調機構が内蔵されたヒータブロック２０が固定してある。また、ヒータブロック２０を貫通するように細径で円管状の脱溶媒管１９が形成されている。これにより、イオン化室１１と第一中間室１２とは、脱溶媒管１９を介して連通する。脱溶媒管１９は、噴霧ノズル１５１により噴霧されたイオンや微細な試料液滴が通過するときに、加熱作用や衝突作用により脱溶媒化、イオン化が促進される機能を有する。なお、脱溶媒管１９はＥＳＩによるイオン化だけでなく、後述するＡＰＣＩでも脱溶媒化のための役割を果たしている。
脱溶媒管１９の入口は、噴霧ノズル１５からの試料噴霧方向に対して略直角方向に向けてあり、噴霧された巨大な試料液滴がそのまま脱溶媒管１９内に飛び込まないようにしてある。また、噴霧ノズル１５から試料液滴が噴霧される方向の前方にはドレイン３０が形成されており、不要な試料液滴はドレイン３０から外部へ排出されるようになっている。
【０００７】
第一中間室１２の内部には、第一イオンレンズ２１が設けられ、第一中間室１２の下面には、油回転ポンプ（ＲＰ）で真空排気するための排気口３１が設けられている。第一中間室１２と第二中間室１３との間の隔壁には、細孔（オリフィス）を有するスキマー２２が形成され、この細孔を介して第一中間室１２の内部と第二中間室１３の内部とが連通する。
【０００８】
第二中間室１３の内部には、オクタポール２３と、フォーカスレンズ２４とが設けられ、第二中間室１３の下面には、ターボ分子ポンプ（ＴＭＰ）で真空排気するための排気口３２が設けられている。第二中間室１３と質量分析装置１４との間の隔壁には、細孔を有する入口レンズ２５が設けられ、この細孔を介して第二中間室１３の内部と質量分析装置１４の内部とが連通する。
【０００９】
質量分析装置１４の内部には、第一四重極１６と、第二四重極１７と、検出器１８とが設けられ、質量分析装置１４の下面には、ターボ分子ポンプ（ＴＭＰ）で真空排気するための排気口３３が設けられている。
なお、イオンレンズ２１と、オクタポール２３と、フォーカスレンズ２４と、入口レンズ２５とは、それぞれの真空状態下で、それぞれのイオン速度下のもとで通過するイオンを効率的に次段に送り出すための収束作用を有する。
【００１０】
このようなＬＣ／ＭＳ１０１において、イオン化室１１でＥＳＩにより生成されたイオンは、脱溶媒管１９、第一中間室１２内の第一イオンレンズ２１、スキマー２２、第二中間室１３内のオクタポール２３およびフォーカスレンズ２４、入口レンズ２５を順に経て質量分析装置１４に送られ、四重極１６、１７により不要イオンが排出され、検出器１８に到達した特定イオンのみが検出されることになる。
【００１１】
また、上述したエレクトロスプレーイオン化法（ＥＳＩ）とは別に、大気圧化学イオン化法（ＡＰＣＩ）によるイオン化も幅広く利用されている。
ここで、ＥＳＩとＡＰＣＩとの差異について説明する。ＥＳＩは、上述したように、ＬＣ部から溶出する液体試料を、ネブライズガスとともに噴霧ノズルの先端から噴霧する。噴霧ノズルには高電圧が印加されており、ノズル先端に発生する強い電界により液体試料が帯電液滴として大気圧下のイオン室内に噴霧される。噴霧された帯電液滴は、イオン化室の乾燥ガスにより溶媒が蒸発することにより、帯電液滴の電荷密度が増大し、液滴内でのクーロン力による反発により液滴の分裂が進行して分析対象成分のイオン化が促進されるようになる。このイオン化法は極性が高い化合物のイオン化に適している。
【００１２】
これに対し、ＡＰＣＩは、ＥＳＩと同様の噴霧ノズルの先端部分（噴霧口）に対し、噴霧口を筒状に覆うようにヒータを設けて加熱するか、あるいは、イオン化室と中間室とを仕切る隔壁に内蔵されたヒータブロック（図８のヒータブロック２０）を貫通する脱溶媒管１９による加熱で、噴霧された試料液滴を高温（４００℃〜５００℃）に加熱することにより、試料液滴の脱溶媒化を促進する。そして噴霧された液滴が存在する領域内であって、かつ、脱溶媒管の入口近傍（イオン導入口近傍）に、電極針でコロナ放電を発生させることによってバッファイオン（溶媒イオン）を生成し、これを分析対象成分に化学反応させることでイオン化（化学イオン化）を行う。このイオン化法は極性が低い化合物のイオン化に適している。
【００１３】
図１０は、図８で説明したＬＣ／ＭＳ１０１に対し、ＡＰＣＩによるイオン化を可能にするための改良を加えたＬＣ／ＭＳ１０２を示す概略構成図である。図８と同じ構成部分については、同符号を付すことにより説明を省略する。このＬＣ／ＭＳ１０２では、イオン化室１１における脱溶媒管１９の入口近傍で、噴霧ノズル１５から噴霧された試料液滴が存在する領域に、高圧電源１６２から電圧を与えてコロナ放電を発生させるための電極針１６０の先端を配置するようにしてある。
【００１４】
このように、ＥＳＩとＡＰＣＩとは、異なるメカニズムによって分析対象成分のイオン化が行われるので、分析対象の極性等の特徴に応じてイオン化法を選択するようにしている。
【００１５】
分析対象によっては、未知成分を含む液体試料を分析する場合や、極性が低い成分から極性が高い成分までの多種類の成分を含む試料を一度に分析したい場合がある。そのような分析を行うために、ＡＰＣＩとＥＳＩとを短い周期で交互に切り替えて用いるイオン源、ＡＰＣＩとＥＳＩとを同時に並行して実行するイオン源についても開示されている（特許文献１、特許文献２）。
【００１６】
例えば、特許文献１に記載のマルチモードイオン源では、図１０と同様に、チャンバ（イオン化室）内にエレクトロスプレープローブ（ＥＳＩのイオン源）と、コロナ放電ニードルとを収納し、電源から供給される高電圧を、エレクトロスプレープローブ、コロナ放電ニードルのいずれか、または、その両方に供給することが開示されている。
また、ＡＰＣＩでは、液体試料の加熱乾燥による脱溶媒化が重要になるが、特許文献２の多モードイオン化源によれば、荷電エアゾルの加熱乾燥を促進するため、高温ガスを導入する他に、赤外線波、マイクロ波のような電磁放射線を用いることが記載されている。
【先行技術文献】
【特許文献】
【００１７】
【特許文献１】特表２００５−５２８７４６号公報
【特許文献２】特表２００５−５３９３５８号公報
【考案の概要】
【考案が解決しようとする課題】
【００１８】
既述のように、ＥＳＩイオン化とＡＰＣＩイオン化とを同時併用するイオン化法は、未知成分を含む液体試料を分析する場合や、極性が低い成分から極性が高い成分までの多種類の成分を含む試料を一度に分析したい場合に有用である。
【００１９】
ところで、近年のＬＣ／ＭＳでは分析時間のスループットを高めることが求められており、そのためにＬＣ部からの溶出液の流速をできるだけ高くするようにして噴霧することが必要になってきている。具体的には、以前は液体試料を送り出す流速が０．２ｍｌ／秒程度であったものが１ｍｌ／秒程度まで流速を高めることが求められている。その場合に、試料液滴に対する加熱不足が原因で十分に気化されない問題が生じるようになっている。すなわち、図１０に示したＬＣ／ＭＳ１０２では、加熱したネブライズガスを供給することや脱溶媒管１９による加熱によって脱溶媒化が行われるが、液体試料の流速が高くなると、これらだけでは加熱不足となり、特にＡＰＣＩによる低極性化合物のイオン化では加熱が不十分となる。
【００２０】
そのため、加熱を補助する目的でイオン化室１１内に赤外線ヒータを設け、イオン化室の広い空間を加熱することも開示されているが、それでも溶出液の流速が大きくなると加熱不足の解消が困難であり、また、イオン化室の広い空間を高温にするためには耐熱性を備えたイオン化室にする必要があった（ＡＰＣＩは４００℃程度の加熱で気化や脱溶媒化が行われる）。
【００２１】
そこで、本考案は、ＥＳＩイオン化、ＡＰＣＩイオン化、ＥＳＩ／ＡＰＣＩ同時イオン化のいずれもが可能であり、しかも噴霧された試料液滴を効率的に加熱することができ、ＡＰＣＩイオン化（およびＥＳＩ／ＡＰＣＩ同時イオン化）の際にも、加熱不足が問題にならない新しい構造のイオン源を提供することを目的とする。
また、本考案はイオン化室内に赤外線ヒータなどのイオン化室の広い空間を加熱する加熱機構を設けることなく、ＡＰＣＩイオン化に必要な加熱を局所的に行うことができ、それでいて、従来と同様にＥＳＩイオン化も可能であるイオン源を提供することを目的とする。
【課題を解決するための手段】
【００２２】
上記課題を解決するためになされた本考案のイオン源は、液体クロマトグラフ部から送られる液体試料をイオン化して質量分析部に送る液体クロマトグラフ質量分析装置用のイオン源であって、試料液体が供給される内管とネブライズガスが供給される外管との二重管構造を有し、前記試料液体を前記ネブライズガスによって噴霧口から噴霧させる導電性の噴霧ノズルと、前記噴霧口の前方空間を筒状に囲み、前記噴霧口から噴霧された試料液滴を加熱しながら通過させる筒状ヒータと、前記噴霧口の前方空間を筒状に囲み、前記噴霧ノズルから離隔するように設けられ、ＥＳＩによるイオン化のときに前記噴霧ノズルとの間に電位差を形成する筒状電極と、前記噴霧ノズルと前記筒状電極との間にＥＳＩによるイオン化のための電圧を印加する第一電源と、前記筒状電極の前方に配置され、ＡＰＣＩによるイオン化のときにコロナ放電用の電圧が印加されるコロナ放電針と、前記コロナ放電針にＡＰＣＩによるイオン化のための電圧を印加する第二電源とを備えるようにしている。
【００２３】
すなわち、本考案のイオン源では、ＥＳＩ用第一電源とＡＰＣＩ用第二電源とを備え、第一電源で高電圧を与えてＥＳＩによるイオン化を行い、第二電源で高電圧を与えてＡＰＣＩによるイオン化を行う。ＥＳＩだけに高電圧を印加させてもよいし（ＥＳＩイオン化）、ＡＰＣＩだけに高電圧を印加させてもよい（ＡＰＣＩイオン化）。両方同時に高電圧を印加させてもよい（同時イオン化）。なお、第一電源と第二電源とはＥＳＩ用とＡＰＣＩ用の高電圧が独立に印加できるものであれば共用してもよい。
ＥＳＩによるイオン化（同時イオン化のときも含む）のときは、第一電源によって噴霧ノズルと筒状電極との間に高電圧を印加する。これにより噴霧口周辺に大きな電位差の空間が形成できるようになり、ＥＳＩによるイオン化が可能になる。
ＡＰＣＩによるイオン化（同時イオン化のときも含む）のときは、第二電源によってコロナ放電針に高電圧を与える。これにより、筒状ヒータの内側で加熱された試料液滴が脱溶媒化されながら噴霧され、コロナ放電により発生したバッファイオン（溶媒イオン）との化学反応でイオン化（化学イオン化）が行われる。このとき筒状ヒータの内側を通過する試料液滴（イオンも含まれる）は、筒体内で効率的かつ高温に加熱することができるので、たとえ供給される試料液滴の流速が大きくなったとしても、問題なくＡＰＣＩによるイオン化ができる。
【００２４】
上記考案において、前記第一電源は前記噴霧ノズルに電圧を印加するとともに、前記筒状電極を接地電位にするのが好ましい。
噴霧ノズルと筒状電極との間にイオン化に必要な電位差が相対的に加わりさえすればイオン化が可能であるので、第一電源は噴霧ノズル側に接続してもよいし、筒状電極側に接続してもよい。しかし、噴霧ノズル側に電圧を印加するとともに、筒状電極側を接地電位にすることで安定した高電圧を印加することができ、同時イオン化のときにも２つの電源から高電圧を独立に印加する制御が容易に行えるようになる。
【００２５】
上記考案において、前記噴霧ノズルと前記筒状電極との離隔距離が２ｍｍ〜３０ｍｍであるのが好ましい。これにより、イオン化に必要かつ十分な電位差を噴霧口の前方空間に（筒状ヒータ内）に形成できるようになる。
【００２６】
上記考案において、前記噴霧ノズル外管の内径よりも前記筒状電極の内径を大きくするのが好ましい。
これにより、噴霧ノズルから噴霧された試料液滴は筒状電極内を確実に通過させることができ、筒状電極による流体抵抗（配管抵抗）を受けることがないので、滞留することなく連続して試料液滴を噴霧させることができるようになる。
【考案の効果】
【００２７】
以上のように、本考案のＬＣ／ＭＳによれば、噴霧ノズルの噴霧口から噴霧された試料液滴を筒状ヒータ内で局所的かつ効率的に高温加熱することができ、また、筒状電極内に大きな電位差を発生できるので、ＥＳＩイオン化、ＡＰＣＩイオン化、ＥＳＩ／ＡＰＣＩ同時イオン化のいずれの方法でも安定して確実にイオン化できる。そしてＡＰＣＩイオン化（およびＥＳＩ／ＡＰＣＩ同時イオン化）の際にも、加熱不足が問題にならない。
また、イオン化室内に赤外線ヒータなどのイオン化室の空間全体を加熱する加熱機構を設けていないので、イオン化室の広い空間を加熱しなくてよいので、イオン化室全体を高温加熱に耐えうるような構造にする必要がない。
【図面の簡単な説明】
【００２８】
【図１】本考案に係るイオン源の一例を用いた液体クロマトグラフ質量分析装置（ＬＣ／ＭＳ）を示す概略構成図である。
【図２】図１のイオン源の概略構成図である。
【図３】図２のイオン源を筒状ヒータの前方から見た図である。
【図４】イオン源の第二実施形態を示す概略構成図である。
【図５】図４のイオン源を筒状ヒータの前方から見た図である。
【図６】イオン源の第三実施形態を示す概略構成図である。
【図７】図６のイオン源を筒状ヒータの前方から見た図である。
【図８】ＥＳＩを用いたＬＣ／ＭＳの従来例を示す概略構成図である。
【図９】ＥＳＩ用の噴霧ノズルにおける先端部分の拡大断面図である。
【図１０】ＥＳＩとともにＡＰＣＩによるイオン化を行うための改良を加えたＬＣ／ＭＳの従来例を示す概略構成図である。
【考案を実施するための形態】
【００２９】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００３０】
（実施形態１）
図１は、本考案に係るイオン源の一例を用いたＬＣ／ＭＳ１０３を示す概略構成図であり、図２は図１のイオン源の概略構成図である。また、図３は図２のイオン源を後述する筒状ヒータ５５の前方（噴霧側）から見た図である。ＬＣ／ＭＳ１０３における第一中間室１２、第二中間室１３、質量分析装置（ＭＳ部）１４については、図８で説明した従来例と同じ構造であるので、同符号を付すことにより説明を省略する。
【００３１】
ＬＣ／ＭＳ１０３のイオン化室１１にはイオン源５０が取り付けてある。イオン源５０は主に、噴霧ノズル５１、セラミック管５４、筒状ヒータ５５、筒状電極５６、コロナ放電針５７、第一電源６１、第二電源６２からなる。
噴霧ノズル５１には、ＬＣ部で成分分離された液体試料が流路１５５を介して供給されるとともに、乾燥したネブライズガス（例えば乾燥窒素ガス）が流路１５６を介して供給される。なお、ネブライズガスは加熱機構（不図示）により高温に加熱された状態で供給されるようにしてある。
【００３２】
噴霧ノズル５１は内管５２と外管５３とからなる金属製の二重円管構造にしてあり、フランジ７１に絶縁材料（不図示）を介して支持されるようにしてある。内管５２は流路１５５に接続されて液体試料が流れるようにしてあり、外管５３は流路１５６に接続されてネブライズガスが流れるようにしてある。内管５２の先端は外管５３の先端よりも２ｍｍ〜１０ｍｍ程度だけ突出するようにしてあり、内管５２から噴射された液体試料は、外管５３から噴射されるネブライズガスとの衝突作用（および加熱された乾燥ガスによる熱的作用）により霧状態となって噴霧される。
【００３３】
また、噴霧ノズル５１の内管５２は、ＥＳＩのための高電圧印加用の第一電源６１（ＨＶ１）と電気的に接続されており、数ＫＶの高電圧（正負極性の切り替え可）が噴霧ノズル５１の先端に印加できるようにしてある。これにより噴霧ノズル５１の先端から５ｍｍ〜３０ｍｍの距離を隔てた筒状電極５６との間に大きな電位差を発生させた状態で試料液滴が噴霧されることで、ＥＳＩによるイオン化が行われ、イオン（主として高極性化合物のイオン）を含む微小液滴が噴霧されるようにしてある。
【００３４】
セラミック管５４は、基端がフランジ７１に支持され、噴霧ノズル５１の噴霧口Ｊ（開口端）を囲むとともに、この噴霧口Ｊの前方空間Ｋを筒状に囲むように取り付けてある。これにより噴霧口Ｊから噴霧された試料液滴は横方向に拡散することなく確実に前方空間Ｋに向けて流れるようにしてある。
【００３５】
前方空間Ｋの領域に対応するセラミック管５４の外周には、筒状ヒータ５５（電熱ヒータ）が巻回してあり、セラミック管５４に接触させた温度センサ５８によって加熱温度をモニタし温調計によってフィードバック制御することにより、前方空間Ｋの温度を所望の温度に制御できるようにしてある。例えばＡＰＣＩによるイオン化の際には４００℃〜５００℃、同時イオン化のときは２５０℃〜４００℃に温度制御するようにしている。
【００３６】
筒状電極５６は、前方空間Ｋの領域を囲むようにしてセラミック管５４の内壁に固定してあり、アース電位となるように接地してある。筒状電極５６と噴霧ノズル５１の先端（内管５２の先端）の間は、２ｍｍ〜３０ｍｍ程度離隔してあり、第一電源６１から高電圧が印加されたときに、この間隙に大きな電位差が生じるようにしてＥＳＩイオン化が行えるようにしてある。
【００３７】
前方空間Ｋの内径（筒状電極５６の内径）は、噴霧ノズル５１の外管５３の内径よりも大きくしてあり、したがって噴霧された試料液滴は前方空間Ｋで凝縮されることなく、また、通過の際に配管による流体抵抗を受けることなく噴霧されるので、試料液滴の気化や脱溶媒化の促進が確実に行えるようにしてある。
【００３８】
コロナ放電針５７は、筒状電極５６の開口端Ｍに近い空間Ｌに配置され、針の先端が開口端Ｍから流出する試料液滴と接するようにしてある。
コロナ放電針５７は、ＡＰＣＩのための高電圧印加用の第二電源６２（ＨＶ２）と電気的に接続されており、数ＫＶの高電圧（正負極性の切り替え可）が印加できるようにしてある。これによりコロナ放電を発生させることによってバッファイオン（溶媒イオン）を生成し、試料液滴に化学反応させることでＡＰＣＩによるイオン化（化学イオン化）が行えるようにしてある。このようにしてイオン（主として低極性化合物のイオン）を含む微小液滴が噴霧されるようにしてある。
【００３９】
次に、イオン源５０によるイオン化の動作について説明する。
ＥＳＩによるイオン化を行う（ＥＳＩ／ＡＰＣＩ同時イオン化を行う場合を含む）場合は、第一電源６１から２〜３ＫＶの高電圧を印加した状態で、液体試料およびネブライズガスを供給する。噴霧ノズル５１の噴霧口Ｊから試料液滴が噴霧され、筒状電極５６との間で大きな電位差が発生している領域を通過することで、試料液滴がＥＳＩによりイオン化され、前方空間Ｋを通過するようになる。このとき、ＡＰＣＩによるイオン化を同時に行わない場合は、前方空間Ｋの温度を２５０℃程度に加熱すればよい。ＡＰＣＩによるイオン化を同時に行う場合は、４００℃程度に加熱することになる。
【００４０】
また、ＡＰＣＩによるイオン化を行う（ＥＳＩ／ＡＰＣＩ同時イオン化を行う場合を含む）場合は、第二電源６２から２〜３ＫＶの高電圧を印加し、前方空間Ｋを４００℃程度に加熱した状態で、液体試料およびネブライズガスを供給する。噴霧口Ｊから試料液滴が噴霧されると、高温加熱された前方空間Ｋで気化および脱溶媒化が促進されながら、試料液滴およびＥＳＩによるイオン）は開口端Ｍの外側に流出するようになる。そして高電圧が印加されたコロナ放電針５７により、コロナ放電を発生させることにより、バッファイオン（溶媒イオン）を生成し、これを流出した試料液滴の分析対象成分に化学反応させることでイオン化（化学イオン化）が行われる。
【００４１】
このように、ＥＳＩイオン化、ＡＰＣＩイオン化、ＥＳＩ／ＡＰＣＩ同時イオン化のいずれの場合も、試料液滴やイオンが局在する領域（前方空間Ｋ）を選択的に集中して効率よく高温加熱するようにして、たとえＬＣ部から溶出される試料液体の流速が大きい場合でも、イオン化に十分な加熱を行うようにする。
【００４２】
（実施形態２）
図４は本考案の第二実施形態であるイオン源５０ａの概略構成図である。また、図５は図４のイオン源５０ａを筒状ヒータ５５ａの前方（噴霧側）から見た図である。図１〜３と同じ構成については、同符号を付すことにより説明を省略する。
この実施形態では、セラミック管５４ａが噴霧口Ｊを囲うようにしてあるが、前方空間Ｋはセラミック管５４ａではなく、セラミック管５４ａの先端に固定支持させた導体管（金属管）からなる筒状電極５６ａで囲うようにしている。そして筒状電極５６ａの外周に筒状ヒータ５５ａを巻回すようにしてある。
この実施形態２では、筒状ヒータ５５ａの熱が、セラミック管を介さず導体管５６ａに直接伝達されるので、実施形態１よりも前方空間Ｋの熱応答性を向上させることができる。
【００４３】
（実施形態３）
図６は本考案の第三実施形態であるイオン源５０ｂの概略構成図である。また、図７は図６のイオン源５０ｂを筒状ヒータ５５ｂの前方（噴霧側）から見た図である。図１〜３と同じ構成については、同符号を付すことにより説明を省略する。
この実施形態では、図２のセラミック管５４に代えて、噴霧口Ｊおよび前方空間Ｋを囲む導体管５４ｂ（金属管）を用いるようにしてある。導体管５４ｂは接地されており、これ自身で筒状の接地電極として機能するようにしてある。（図２の筒状電極５６を接地した場合と同じ機能）。導体管５４ｂと噴霧ノズル５１との間隙には短絡防止のため、絶縁材料のスペーサ（不図示）が挿入してある。そして導体管５４ｂの外周に筒状ヒータ５５ｂを巻回すようにしてある。
この実施形態３でも、筒状ヒータ５５ｂの熱が、セラミック管を介さず導体管５６ａに直接伝達されるので、実施形態１よりも前方空間Ｋの熱応答性を向上させることができる。
【産業上の利用可能性】
【００４４】
本考案は、液体クロマトグラフ質量分析装置（ＬＣ／ＭＳ）のイオン源に利用することができる。
【符号の説明】
【００４５】
１１：  イオン化室
５０、５０ａ、５０ｂ：  イオン源
５１：  噴霧ノズル
５２：  内管
５３：  外管
５４、５４ａ：  セラミック管
５４ｂ：  導体管（筒状電極として兼用）
５５、５５ａ、５５ｂ：  筒状ヒータ
５６、５６ａ：  筒状電極
５７：  コロナ放電針
６１：  第一電源（ＥＳＩ用）
６２：  第二電源（ＡＰＣＩ用）
Ｊ：  噴霧口
Ｋ：  前方空間
Ｍ：  開口端
Ｌ：  開口端近傍空間
【図１】
0003166867.tif 000003
【図２】
0003166867.tif 000004
【図３】
0003166867.tif 000005
【図４】
0003166867.tif 000006
【図５】
0003166867.tif 000007
【図６】
0003166867.tif 000008
【図７】
0003166867.tif 000009
【図８】
0003166867.tif 000010
【図９】
0003166867.tif 000011
【図１０】
0003166867.tif 000012